(57)【要約】【課題】  従来、２Ｄ画像と３Ｄ画像が混在して記憶された画像を再生する場合に、出力先の装置が３Ｄ画像に対応しているか否かを使用者が判断して、出力先の装置に適した画像を選択しなければならないという問題があった。【解決手段】  画像が２Ｄか３Ｄかを区別する制御情報を画像に付加して記憶手段に記憶する。記憶手段から画像を読み出して出力する際に、画像に付加された制御情報を制御信号として出力する出力制御手段を設けた。この結果、２Ｄ画像と３Ｄ画像が混在して記憶された画像を再生する場合に、出力する画像が２Ｄ画像であるか３Ｄ画像であるかを制御信号により判別できるので、出力先の装置に応じて適切に画像を表示することができる。【選択図】    図３
2008042645.tif 000002
【特許請求の範囲】
【請求項１】
２Ｄ（平面）または３Ｄ（立体）で画像を撮影する撮像手段と、
前記画像が２Ｄであるか３Ｄであるかを示す制御情報を生成する制御情報手段と、
前記画像と前記制御情報とを記憶する記憶手段と、
前記記憶手段に記憶された前記画像を出力する際に、前記制御情報を制御信号として出力する出力制御手段と
を有することを特徴とするカメラ。
【請求項２】
請求項１に記載のカメラにおいて、
前記出力制御手段は、複数枚の前記画像を連続して出力中に、３Ｄから２Ｄへ或いは２Ｄから３Ｄへ切り替わる際に、前記制御信号を出力すること
を特徴とするカメラ。
【請求項３】
請求項１に記載のカメラにおいて、
前記出力制御手段は、複数枚の前記画像を連続して出力中に、３Ｄの前記画像を出力中は３Ｄを示す前記制御信号を出力し、２Ｄの前記画像を出力中は２Ｄを示す前記制御信号を出力すること
を特徴とするカメラ。
【請求項４】
請求項１から３のいずれか一項に記載のカメラにおいて、
前記出力制御手段が出力する前記制御信号に対して、出力先の装置から応答信号を受信する受信手段と、
３Ｄの画像を２Ｄの画像に変換する３Ｄ／２Ｄ変換手段とを設け、
前記出力制御手段は、前記受信手段が受信した前記出力先の装置からの前記応答信号が返ってこない場合は、前記３Ｄ／２Ｄ変換手段によって、３Ｄの画像を２Ｄの画像に変換して出力すること
を特徴とするカメラ。
【請求項５】
請求項４に記載のカメラにおいて、
前記出力制御手段が前記画像以外に出力する表示情報に３Ｄデザインと２Ｄデザインの２種類を設け、
前記出力制御手段は、前記受信手段が受信した応答信号が３Ｄ表示対応であることを示している場合は、前記３Ｄデザインの表示情報を出力すること
を特徴とするカメラ。
【請求項６】
請求項１から５のいずれか一項に記載のカメラに接続して画像を表示する表示手段を有する画像表示装置において、
前記カメラが出力する前記制御信号を判別する２Ｄ／３Ｄ判別手段と、
２Ｄの画像と３Ｄの画像とを相互に変換する２Ｄ／３Ｄ相互変換手段とを設け、
前記２Ｄ／３Ｄ変換手段は、前記２Ｄ／３Ｄ判別手段が判別した結果に応じて、前記表示手段が対応する２Ｄまたは３Ｄの画像に変換し、前記表示手段に出力すること
を特徴とする画像表示装置。
【請求項７】
請求項１から５のいずれか一項に記載のカメラに接続して前記カメラから入力する画像を記憶する記憶手段を有する画像記憶装置において、
前記カメラが出力する前記制御信号を判別して前記制御情報に変換する２Ｄ／３Ｄ判別手段を設け、
前記記憶手段は、前記２Ｄ／３Ｄ判別手段が判別した前記制御情報を前記画像と共に記憶すること
を特徴とする画像記憶装置。
【請求項８】
請求項７に記載の画像記憶装置において、
前記記憶手段に記憶された前記画像を出力する際に、前記制御情報を制御信号として出力する出力制御手段を設けたこと
を特徴とする画像記憶装置。
【発明の詳細な説明】
【技術分野】
【０００１】
本発明は、２Ｄ画像と３Ｄ画像とを混在して使用するカメラおよび画像表示装置並びに画像記憶装置に関する。
【背景技術】
【０００２】
従来、視差のある２枚の画像を用いて３Ｄ（立体）画像を撮影するカメラや、撮影した３Ｄ画像を再生する画像表示装置が知られている。このようなカメラや画像表示装置あるいは画像記憶装置において、３Ｄ画像と２Ｄ（平面）画像とを混在して使用する場合に、様々な工夫がなされ、３Ｄ画像と２Ｄ画像とを異なるファイルに分離して記憶し、再生する技術が考えられている（例えば、特許文献１参照）。
【特許文献１】特開２００５−９４１４５号公報
【発明の開示】
【発明が解決しようとする課題】
【０００３】
従来技術では、２Ｄ画像と３Ｄ画像が混在して記憶された画像を再生する場合に、頻繁に画像が切り替わることによって、視聴者が疲れてしまうという問題があった。また、３Ｄ画像と２Ｄ画像とを異なるファイルに分離して記憶し、再生する場合でも、出力先の装置が３Ｄ画像に対応しているか否かを使用者が判断して、出力先の装置に適した画像を選択しなければならないという問題があった。
【０００４】
上記課題に鑑み、本発明の目的は、２Ｄ画像と３Ｄ画像が混在して使用される場合に、出力先の装置に応じて２Ｄ画像と３Ｄ画像とを切り替え、或いは、出力先の装置が２Ｄ画像と３Ｄ画像とを判断することが可能なカメラおよび画像表示装置並びに画像記憶装置を提供することである。
【課題を解決するための手段】
【０００５】
本発明に係るカメラは、２Ｄまたは３Ｄで画像を撮影する撮像手段と、前記画像が２Ｄであるか３Ｄであるかを示す制御情報を生成する制御情報手段と、前記画像と前記制御情報とを記憶する記憶手段と、前記記憶手段に記憶された前記画像を出力する際に、前記制御情報を制御信号として出力する出力制御手段とを有することを特徴とする。
さらに、前記出力制御手段が出力する前記制御信号に対して、出力先の装置から応答信号を受信する受信手段と、３Ｄの画像を２Ｄの画像に変換する３Ｄ／２Ｄ変換手段とを設け、前記出力制御手段は、前記受信手段が受信した前記出力先の装置からの前記応答信号が返ってこない場合は、前記３Ｄ／２Ｄ変換手段によって、３Ｄの画像を２Ｄの画像に変換して出力することを特徴とする。
【０００６】
特に、前記出力制御手段が前記画像以外に出力する表示情報に３Ｄデザインと２Ｄデザインの２種類を設け、前記出力制御手段は、前記受信手段が受信した応答信号が３Ｄ表示対応であることを示している場合は、前記３Ｄデザインの表示情報を出力することを特徴とする。
また、本発明に係る画像表示装置は、前記カメラに接続して画像を表示する表示手段を有し、前記カメラが出力する前記制御信号を判別する２Ｄ／３Ｄ判別手段と、２Ｄの画像と３Ｄの画像とを相互に変換する２Ｄ／３Ｄ相互変換手段とを設け、前記２Ｄ／３Ｄ変換手段は、前記２Ｄ／３Ｄ判別手段が判別した結果に応じて、前記表示手段が対応する２Ｄまたは３Ｄの画像に変換し、前記表示手段に出力することを特徴とする。
【０００７】
また、本発明に係る画像記憶装置は、前記カメラに接続して前記カメラから入力する画像を記憶する記憶手段を有し、前記カメラが出力する前記制御信号を判別前記制御情報に変換する２Ｄ／３Ｄ判別手段を設け、前記記憶手段は、前記２Ｄ／３Ｄ判別手段が判別した前記制御情報を前記画像と共に記憶することを特徴とする。
さらに、前記画像記憶装置において、前記記憶手段に記憶された前記画像を出力する際に、前記制御情報を制御信号として出力する出力制御手段を設けたことを特徴とする。
【発明の効果】
【０００８】
本発明によれば、２Ｄ画像と３Ｄ画像が混在して記憶された画像を再生する場合に、出力する画像が２Ｄ画像であるか３Ｄ画像であるかを示す制御信号を出力するので、出力先の装置に応じた適切な画像を表示することができる。
【発明を実施するための最良の形態】
【０００９】
以下、図面を参照して本発明に係るカメラおよび画像表示装置並びに画像記憶装置について説明する。
（第１の実施形態）
図１（ａ）および（ｂ）は本発明の第１の実施形態に係るカメラ１０２，１０３、および画像表示装置（テレビ）１０４、並びに画像記憶装置（ストレージャ）１０１の接続例を示した図である。ストレージャ１０１は、カメラ１０２やカメラ１０３で撮影した画像を取り込んで記憶し、スライドショーなどでテレビ１０４に出力する装置である。
【００１０】
図１（ａ）において、カメラ１０２は無線接続可能なカメラで、ストレージャ１０１のアンテナ１０５と、カメラ１０２のアンテナ１０６との間で無線通信して、カメラ１０２で撮影した画像をストレージャ１０１に出力する。
カメラ１０３は、ストレージャ１０１のＵＳＢ（Ｕniversal Ｓerial Ｂus）インターフェース１０７とＵＳＢケーブル１０８を介して接続し、カメラ１０３で撮影した画像をストレージャ１０１に出力する。尚、カメラ１０２およびカメラ１０３は、２Ｄ画像だけでなく、３Ｄ画像を撮影することができるカメラである。
【００１１】
ストレージャ１０１は、カメラ１０２またはカメラ１０３から２Ｄ画像や３Ｄ画像を取り込んで、出力端子１０９から接続ケーブル１１０を介してテレビ１０４に２Ｄ画像や３Ｄ画像を出力し、テレビ１０４はこれらの画像を表示する。
或いは、カメラ１０３は、図１（ｂ）に示すように、接続ケーブル１１０を介してストレージャ１０１ではなくテレビ１０４に直接接続して、カメラ１０３が撮影した２Ｄ画像や３Ｄ画像をテレビ１０４に出力して鑑賞することもできる。尚、カメラ１０２および１０３，ストレージャ１０１，テレビ１０４の構成については、後で詳しく説明する。
【００１２】
ここで、本実施形態で用いる３Ｄ画像について、図２を用いて簡単に説明する。本実施形態の３Ｄ画像は、３Ｄメガネ１１１を掛けることによって見ることができる。図２において、３Ｄ画像は左目用の画像２０１と、右目用の画像２０２の２枚の視差画像が、カメラ１０２またはカメラ１０３によって撮影されたとする。例えば、画像２０１を赤色にし、画像２０２を青色にして合成した画像２０３をテレビ１０４に表示する。合成して表示される２枚の画像には視差があるので、二重になって見えるが、３Ｄメガネ１１１を掛けてテレビ１０４に表示されている画像２０３を見ると、１枚の３Ｄ画像２０４が見える。簡単に説明すると、３Ｄメガネ１１１の左目に青色フィルタを、右目に赤色フィルタを設けることによって、左目には右目用の画像２０２は青色でフィルタリングされて見えず、逆に右目には左目用の画像２０１は赤色でフィルタリングされて見えないので、左目には左目用の画像２０１が見え、右目には右目用の画像２０２がそれぞれ見えることになり、頭の中で３Ｄ画像として認識されるわけである。このように、３Ｄ画像には、左目用と右目用の２枚ペアの視差画像が必要である。
【００１３】
次に、図１のカメラ１０３の構成について、図３を用いて説明する。図３のブロック図において、カメラ１０３は３Ｄ画像の撮影が可能で、左目用と右目用の２枚ペアの視差画像を写せるように、左レンズ３０２と右レンズ３０３とを有している。左レンズ３０２から入射した被写体光は撮像素子３０４で光電変換され、さらに光電変換された電気信号は、Ａ／Ｄ変換部３０６でデジタルの画像データに変換され、バッファメモリ３０７に取り込まれる。同様に、右レンズ３０３から入射した被写体光は撮像素子３０５で光電変換され、さらに光電変換された電気信号は、Ａ／Ｄ変換部３０８でデジタルの画像データに変換され、バッファメモリ３０９に取り込まれる。
【００１４】
バッファメモリ３０７および３０９に取り込まれた画像データは、バス３１０を介してＣＰＵ３０１によって読み取られ、ＤＳＰ（デジタル信号処理部）３１３で画像処理を行い、メモリカードＩＦ（インターフェース）３１１を介してメモリカード３１２に保存することができる。尚、保存する際に、２Ｄで撮影された画像は２Ｄ画像であることを示すフラグを画像データに付加して記憶し、３Ｄで撮影された画像は３Ｄ画像であることを示すフラグを画像データに付加して記憶する。
【００１５】
また、カメラ１０３は、ＣＰＵ３０１のソフトウェアによって制御され、利用者は操作パネル３１６からＣＰＵ３０１に各種の動作指示を与える。例えば、シャッター操作、２Ｄ撮影と３Ｄ撮影の切り替え、メモリカード３１２からの画像の読み出しや保存、ストレージャ１０１への画像の送信などの動作指示をＣＰＵ３０１に与える。
ＵＳＢＩＦ（ＵＳＢインターフェース）３１７は、カメラ１０３からストレージャ１０１へデジタルの画像データを送信するためのもので、操作パネル３１６によって利用者が選択した画像データをＵＳＢケーブル１０８を介してストレージャ１０１のＵＳＢＩＦ１０７に送信する。
【００１６】
尚、図１のカメラ１０２をストレージャ１０１に接続する場合は、カメラ１０３のＵＳＢＩＦ３１７の代わりにカメラ１０２内の無線送信部で画像データが高周波信号に変調され、アンテナ１０６から電波が放射される。放射された電波は、ストレージャ１０１のアンテナ１０５で受信される。
このようにして、カメラ１０２の場合は無線で画像データをストレージャ１０１に送信し、カメラ１０３の場合はＵＳＢケーブル１０８で画像データをストレージャ１０１に送信する。
【００１７】
また、カメラ１０３は、操作パネル３１６によって利用者が選択した画像を画像・制御信号出力部３１８でアナログの画像信号に変換し、出力端子３１９および接続ケーブル１１０を介して接続されているテレビ１０４に出力することができる。
ここで、画像・制御信号出力部３１８は、出力する画像データをアナログの画像信号に変換するだけでなく、出力する画像データに付加されているフラグが２Ｄである場合は２Ｄ画像であることを示す制御信号を、フラグが３Ｄである場合は３Ｄ画像であることを示す制御信号を、それぞれ生成して出力端子３１９から画像信号と共にテレビ１０４に出力する。尚、この制御信号は、テレビ１０４側で２Ｄと３Ｄとの切り替えを行うための２Ｄ／３Ｄ切り替え制御信号として使用される。
【００１８】
次に、ストレージャ１０１の構成について、図４を用いて説明する。図４のブロック図において、ストレージャ１０１はＣＰＵ４０２に予め記憶されたプログラムによって動作し、使用者は操作パネル４０８によって、各カメラからの画像の取り込みや、取り込んだ画像を選択して、スライドショーなどを行うことができる。
カメラ１０２あるいはカメラ１０３で撮影された２Ｄ画像もしくは３Ｄ画像は、アンテナ１０５と送受信部４０１あるいはＵＳＢＩＦ１０７を介してストレージャ１０１に取り込まれる。取り込まれた画像データは、ＣＰＵ４０２およびバス４０３を介してメモリ４０４，ＨＤＤ４０５あるいはメモリカードＩＦ４０６に接続されているメモリカード４０７などに記憶される。
【００１９】
ＤＳＰ４０９は、ＣＰＵ４０２の指令によって、２Ｄ画像から３Ｄ画像への変換や３Ｄ画像から２Ｄ画像への変換、或いは、画像に文字や図形，アイコンなどを挿入するなど、各種の画像処理を行う。尚、２Ｄ画像から３Ｄ画像への変換は、計算によって擬似的に視差画像を形成することによって可能であり、逆に３Ｄ画像から２Ｄ画像への変換は、２枚ペアの視差画像のいずれか１枚の画像を用いることによって変換可能である。また、これら以外にも様々な方法が考えられているが、本発明の本質ではないので、詳しい説明は省略する。
【００２０】
画像・制御信号出力部４１０は、図３で説明したカメラ１０３の画像・制御信号出力部３１８と同じ機能を有するもので、出力する画像データをアナログの画像信号に変換するだけでなく、出力する画像データに付加されているフラグが２Ｄである場合は２Ｄ画像であることを示す制御信号を、フラグが３Ｄである場合は３Ｄ画像であることを示す制御信号を、それぞれ生成して出力端子１０９から接続ケーブル１１０を介して画像信号と共にテレビ１０４に出力する。
【００２１】
次に、テレビ１０４の構成について、図５を用いて説明する。図５のブロック図において、テレビ１０４はＣＰＵ５０１に予め記憶されたプログラムによって動作する。使用者は操作パネル５０６を操作してテレビ放送を観ることができ、テレビアンテナ５０８で受信した放送電波はテレビ受信部５０９に入り、使用者が指定したチャネルのテレビ放送を受信する。受信した画像はメモリ５０７に一時的に記憶するか、そのまま画像表示部５１０を介して液晶ディスプレイ５１１に表示する。
【００２２】
或いは、テレビ１０４は、カメラ１０３やストレージャ１０１の２Ｄ画像や３Ｄ画像を、ＵＳＢＩＦ５０２や入力端子５０３および画像・制御信号入力部５０４を介してメモリ５０７に取り込み、取り込んだ画像をスライドショーなどによって液晶ディスプレイ５１１に表示する。尚、ＵＳＢＩＦ５０２から取り込む際はデジタルの画像データおよび制御データで入力し、入力端子５０３を介して取り込む際はアナログの画像信号および制御信号で入力後、画像・制御信号入力部５０４で画像データおよび制御データに変換される。取り込んだ画像データは制御データと共にメモリ５０７に記憶される。さらに、メモリ５０７に取り込まれた画像は、操作パネル５０６の操作によって、必要に応じてＤＳＰ５１２で各種の画像処理が行われた後、画像表示部５１０を介して液晶ディスプレイ５１１に表示される。
【００２３】
ＤＳＰ５１２は、図４のＤＳＰ４０９と同じ機能を有し、ＣＰＵ５０１の指令によって、２Ｄ画像から３Ｄ画像への変換や３Ｄ画像から２Ｄ画像への変換、或いは、画像に文字や図形，アイコンなどを挿入するなど、各種の画像処理を行う。
画像・制御信号入力部５０４は、図３で説明したカメラ１０３の画像・制御信号出力部３１８と逆の機能を有するもので、入力するアナログの画像信号を画像データに変換するだけでなく、入力する制御信号が２Ｄ画像であることを示す制御信号の場合は、２Ｄのフラグを生成して、同時に入力した画像データに付加し、入力する制御信号が３Ｄ画像であることを示す制御信号の場合は、３Ｄのフラグを生成して、同時に入力した画像データに付加してメモリ５０７に記憶する。
【００２４】
尚、図３では、カメラ１０３とストレージャ１０１とをＵＳＢによるデジタルで接続し、カメラ１０３とテレビ１０４とをアナログの画像信号および制御信号で接続する形態を示した。また、図４では、ストレージャ１０１とテレビ１０４とを画像信号および制御信号によるアナログで接続する形態を示した。さらに、図５では、カメラ１０３とテレビ１０４とをＵＳＢによるデジタル接続と、アナログの各信号による接続との両方の接続形態を示した。このように、カメラ１０３と、ストレージャ１０１と、テレビ１０４との間の接続は、アナログで接続されてもよいし、デジタルで接続するようにしても構わない。
【００２５】
次に、カメラ１０３もしくはストレージャ１０１と、テレビ１０４とを接続した場合の信号の流れについて、図６を用いて説明する。同図（ａ）は、カメラ１０３もしくはストレージャ１０１からアナログの画像信号および制御信号を、テレビ１０４に出力する片方向通信の概念を示した図である。画像信号用の信号線と、制御信号用の信号線とがあり、出力している画像信号が２Ｄ画像であるか３Ｄ画像であるかを示す制御信号を並列して出力する。
【００２６】
この時の各信号の様子を図７（ａ）および（ｂ）を用いて説明する。図７（ａ）は、２Ｄ画像６０１，２Ｄ画像６０２，３Ｄ画像６０３，３Ｄ画像６０４，２Ｄ画像６０５を順番に所定の時間ずつスライドショー表示する場合のアナログの画像信号の流れと、出力中の画像信号が２Ｄ画像であるか３Ｄ画像であるかを示す制御信号とのタイミングを示した図である。尚、紙面に向かって右側が先に出力した画像で、左側に行くに従って、時間的に新しい画像を示す。また、制御信号は、２Ｄ画像の時はローレベルを、３Ｄ画像の時はハイレベルを、それぞれ出力する。従って、２Ｄ画像６０１の出力開始から時間ｔ１を経て２Ｄ画像６０２の出力を終了するｔ２までの間は、制御信号は２Ｄ画像を示すローレベルとなる。次の３Ｄ画像６０３の出力を開始する時間ｔ２から３Ｄ画像６０４の出力が終わる時間ｔ４までの間は、制御信号は３Ｄ画像を示すハイレベルとなる。同様に、次の２Ｄ画像６０５の出力を開始する時間ｔ４からは、制御信号は２Ｄ画像を示すローレベルとなる。
【００２７】
このように、制御信号がハイレベルであるかローレベルであるかを見るだけで、出力中の画像信号が２Ｄ画像であるか３Ｄ画像であるかを容易に判別することができる。
次に、図７（ａ）の場合に、図３のカメラ１０３のＣＰＵ３０１の処理について、図８のフローチャートを用いて説明する。先ず、カメラ１０３の電源をオンする（ステップＳ７０１）。次に、メモリカードＩＦ３１１を介してメモリカード３１２に記憶されている２Ｄ画像や３Ｄ画像の中からスライドショー表示する複数の画像を選択する（ステップＳ７０２）。最初に出力する画像が２Ｄ画像であるか３Ｄ画像であるかを撮影時に画像データと共に記憶されているフラグなどの情報によって判別する（ステップＳ７０３）。２Ｄ画像である場合は図３の画像・制御信号出力部３１８によってローレベルの制御信号を生成して出力端子３１９および接続ケーブル１１０を介してテレビ１０４に出力する（ステップＳ７０４）。３Ｄ画像である場合は図３の画像・制御信号出力部３１８によってハイレベルの制御信号を生成して出力端子３１９および接続ケーブル１１０を介してテレビ１０４に出力する（ステップＳ７０５）。ステップＳ７０４或いはＳ７０５で制御信号を変化させると同時に、図３の画像・制御信号出力部３１８で画像データを画像信号に変換して出力端子３１９および接続ケーブル１１０を介してテレビ１０４に表示する（ステップＳ７０６）。ユーザーの終了操作があった場合（ステップＳ７０７）や、スライドショーの最終の画像であった場合（ステップＳ７０９）は、スライドショーを終了する（ステップＳ７０８）。また、次のスライドショーの画像がある場合は、次の画像を読み出してステップＳ７０３に戻る（ステップＳ７１０）。
【００２８】
このようにして、図７（ａ）に示すような制御信号を画像・制御信号出力部３１８で生成して、テレビ１０４に出力することができる。尚、上記では、図３のカメラ１０３のＣＰＵ３０１の処理について説明したが、図４のストレージャ１０１をテレビ１０４に接続した場合のストレージャ１０１のＣＰＵ４０２の処理も、図８で説明したカメラ１０３のＣＰＵ３０１の処理と同じである。
【００２９】
ここで、図７（ａ）は２Ｄ画像或いは３Ｄ画像を出力中に連続して制御信号を出力するようにしたが、２Ｄ画像から３Ｄ画像へ、或いは、３Ｄ画像から２Ｄ画像へのそれぞれの変化時だけ制御信号を出力するようにしても構わない。例えば、図７（ｂ）に示すように、２Ｄ画像６０２から３Ｄ画像６０３へ変化する時間ｔ２のタイミングや、３Ｄ画像６０４から２Ｄ画像６０５へ変化する時間ｔ４のタイミングで、パルス状の制御信号を出力するようにしても構わない。
【００３０】
次に、図７（ｂ）の場合における図３のカメラ１０３のＣＰＵ３０１の処理について、図９のフローチャートを用いて説明する。図９のフローチャートは、図８のフローチャートに対して、ステップ７０３をステップ７０３ｂに、ステップ７０４をステップ７０４ｂにそれぞれ置き換え、ステップ７０５を削除しただけである。その他の処理は図８の場合と同じなので、ここでは異なる処理ステップのみについて説明する。
【００３１】
ステップ７０３ｂにおいて、２Ｄ画像から３Ｄ画像へ、或いは、３Ｄ画像から２Ｄ画像へ変化したか否かを判断する。いずれかに変化した場合は、図３の画像・制御信号出力部３１８によってパルス状の制御信号を生成し、出力端子３１９および接続ケーブル１１０を介してテレビ１０４に出力する（ステップＳ７０４ｂ）。パルス状の制御信号を出力すると同時に、図３の画像・制御信号出力部３１８で画像データをアナログの画像信号に変換して出力端子３１９および接続ケーブル１１０を介してテレビ１０４に出力する（ステップＳ７０６）。以後、図８のフローチャートと同じなので説明を省略する。尚、上記では、図３のカメラ１０３のＣＰＵ３０１の処理について説明したが、図４のストレージャ１０１をテレビ１０４に接続した場合のストレージャ１０１のＣＰＵ４０２の処理も、図９で説明したカメラ１０３のＣＰＵ３０１の処理と同じである。
【００３２】
尚、図７（ｂ）では、２Ｄ画像から３Ｄ画像への変化時も、３Ｄ画像から２Ｄ画像への変化時も、同じ極性のパルス状の制御信号としたが、２Ｄ画像から３Ｄ画像への変化する時はプラス極性のパルスとし、３Ｄ画像から２Ｄ画像への変化する時はマイナス極性のパルスとすることで、どの方向に変化したかがわかるので、より好ましい。また、図６（ａ）において、制御信号は、画像信号と別ケーブルで送るように描いたが、制御信号を画像信号に重畳して１本のケーブルで送るようにしても構わない。
【００３３】
次に、図３のカメラ１０３のＵＳＢＩＦ３１７もしくは図４のストレージャ１０１のＵＳＢＩＦ１０７のいずれかと、図５のテレビ１０４のＵＳＢＩＦ５０２とを接続し、デジタル的に画像データおよび制御データを、テレビ１０４に出力する場合について、図６（ｂ）を用いて説明する。図６（ｂ）は、画像データとその画像データが２Ｄ画像であるか３Ｄ画像であるかを示す制御データをＵＳＢインターフェースなどのデジタル信号線で出力する片方向通信の概念を示した図である。尚、デジタルの場合は、本実施形態のようにＵＳＢインターフェースだけでなく、ＩＥＥＥ１３９４規格によるインターフェースでも構わないし、ＨＤＭＩ規格などによるインターフェースでも構わない。
【００３４】
図６（ｂ）の場合の各信号の例を図７（ｃ）および（ｄ）を用いて説明する。図７（ｃ）は、２Ｄ画像６０１ｂ，２Ｄ画像６０２ｂ，３Ｄ画像６０３ｂ，３Ｄ画像６０４ｂ，２Ｄ画像６０５ｂを順番に所定の時間ずつスライドショー表示する場合の画像データと、出力している画像データが２Ｄ画像であるか３Ｄ画像であるかを示す制御データ６１０および６１１との出力タイミングを示した図である。尚、紙面に向かって右側が先に出力した画像で、左側に行くに従って、時間的に新しい画像を示す。
【００３５】
また、各制御データは、２Ｄ画像から３Ｄ画像へ、或いは、３Ｄ画像から２Ｄ画像への変化時だけ制御データを挿入する。例えば、２Ｄ画像６０２ｂから３Ｄ画像６０３ｂに変化する部分には、２Ｄから３Ｄへの変化を示す制御データ６１０を挿入し，３Ｄ画像６０４ｂから２Ｄ画像６０５ｂに変化する部分には３Ｄから２Ｄへの変化を示す制御データ６１１を挿入する。一方、図７（ｄ）は、出力する画像データ毎に２Ｄ画像であるか３Ｄ画像であるかを示す制御データを付加する例を示している。例えば、２Ｄ画像６０１ｂ，２Ｄ画像６０２ｂおよび２Ｄ画像６０５ｂには２Ｄを示す制御データ６１２，６１３および６１６がそれぞれ付加される。
【００３６】
尚、上記で説明した制御データの付加は、カメラ１０３のＣＰＵ３０１やストレージャ１０１のＣＰＵ４０２によって処理される。これらの処理のフローチャートは、基本的には図８および図９のフローチャートと同じで、例えば図８のステップＳ７０４を２Ｄ画像への制御データの付加に、ステップＳ７０５を３Ｄ画像への制御データの付加に、それぞれ置き換えることで図７（ｄ）の送信データを実現できる。或いは、図９のステップＳ７０４ｂを変化時の制御データの付加に置き換えることで図７（ｃ）の送信データを実現できる。
【００３７】
このように、２Ｄ画像と３Ｄ画像が混在して記憶された画像を出力する場合に、出力している画像が２Ｄ画像であるか３Ｄ画像であるかを示す制御信号を出力するので、テレビ１０４など出力先の装置では、入力している画像を解析することなく、入力する制御信号によって２Ｄ画像であるか３Ｄ画像であるかを容易に判断することができる。
（第２の実施形態）
次に、本発明の第２の実施形態に係るカメラおよび画像表示装置並びに画像記憶装置について説明する。尚、カメラ１０３、および画像表示装置（テレビ）１０４、並びに画像記憶装置（ストレージャ）１０１の構成は、第１の実施形態と同じなので説明を省略する。
【００３８】
本実施形態が第１の実施形態と異なるのは、図１０に示すように、カメラ１０３もしくはストレージャ１０１と、テレビ１０４とを接続した場合の信号の流れである。第１の実施形態の図６では、画像信号および制御信号は、カメラ１０３もしくはストレージャ１０１側から、テレビ１０４側への片方向通信であった。これに対して、本実施形態の図１０の場合は、テレビ１０４側から応答信号がカメラ１０３もしくはストレージャ１０１側に返信される双方向通信である。尚、図１０（ａ）は、アナログで画像信号，制御信号および応答信号を入出力する場合を示し、図１０（ｂ）は、デジタルで画像データ，制御データおよび応答データを入出力する場合を示す。いずれの場合も、信号の流れは同じであり、出力先の装置が制御信号または制御データを認識した場合は、応答信号または応答データを返す。
【００３９】
次に、図１０（ａ）の場合の図３に示すカメラ１０３のＣＰＵ３０１の処理について、図１１のフローチャートを用いて説明する。尚、ステップＳ７０１からＳ７０５までの処理は第１の実施形態の図８と同じである。本実施形態では、画像を出力する際に、ステップＳ７０４またはＳ７０５でテレビ１０４に出力した制御信号に対する応答信号を受信したか否かを調べる（ステップＳ７５１）。応答信号を受信した場合は、以降、第１の実施形態の図８と同様に処理する。ところが、応答信号を受信しなかった場合は、出力する３Ｄ画像を２Ｄ画像に変換する処理（ステップＳ７５２）を行った後、ステップＳ７０６で変換後の２Ｄ画像をテレビ１０４に出力する。
【００４０】
ここで、応答信号について説明する。応答信号は、カメラ１０３もしくはストレージャ１０１から出力される２Ｄ画像か３Ｄ画像かを示す制御信号を入力されたテレビ１０４が、制御信号を確認した場合に、カメラ１０３またはストレージャ１０１側に返す信号である。従って、出力先のテレビ（テレビ１０４と同じ構成か否かはわからないテレビ）側から応答信号が返ってこない場合は、そのテレビはテレビ１０４と同じ構成ではなく、３Ｄ画像を表示できないテレビである可能性が高いので、カメラ１０３もしくはストレージャ１０１側のステップＳ７５２において、３Ｄ画像を２Ｄ画像に変換し、２Ｄ画像の画像信号をテレビ側に出力するように処理する。
【００４１】
このように、３Ｄ画像の表示に対応していない通常のテレビであっても、カメラ１０３もしくはストレージャ１０１側で３Ｄ画像を２Ｄ画像に変換して出力するので、不具合なく２Ｄ画像として鑑賞することができる。
尚、上記の説明では、応答信号がなかった場合、つまり、テレビ側が３Ｄ画像に対応していない場合に、図１１のフローチャートにおいて、出力する３Ｄ画像を２Ｄ画像に変換する処理（ステップＳ７５２）を行うようにしたが、逆に、応答信号があった場合、つまり、テレビ１０４が３Ｄ画像に対応している場合に、出力する２Ｄ画像を３Ｄ画像に変換する処理を行うようにしても構わない。この場合は、ステップＳ７５１の判別処理でＹｅｓに分岐した直後に、２Ｄ画像を３Ｄ画像に変換する処理ステップを挿入すればよい。
【００４２】
（第３の実施形態）
次に、本発明の第３の実施形態に係る画像表示装置（テレビ）は、第１の実施形態の図５に示すテレビ１０４と同じ構成になっている。第１の実施形態との違いは、例えば、液晶ディスプレイ５１１の画面に特殊な加工を施した３Ｄ専用のテレビを想定している。また、本実施形態では、図５のテレビ１０４のブロック図において、ＤＳＰ５１２は、ＣＰＵ５０１の指令によって２Ｄ画像を３Ｄ画像に変換するよう動作する。尚、３Ｄ画像への変換方法は、第１の実施形態のＤＳＰ４０９で説明したように、例えば、計算により擬似的に視差画像を作成することにより可能である。
【００４３】
次に、本実施形態のテレビ１０４のＣＰＵ５０１の処理について、図１２のフローチャートを用いて説明する。ステップＳ７５１でテレビ１０４の処理が開始され、カメラ１０３もしくはストレージャ１０１から画像信号と制御信号とを入力する（ステップＳ７５２）。入力した制御信号が２Ｄ画像または３Ｄ画像のいずれを示しているかを判別する（ステップＳ７５３）。制御信号が３Ｄ画像を示している場合は、入力した画像信号はそのまま画像表示部５１０を介して液晶ディスプレイ５１１に３Ｄ画像として表示される（ステップＳ７５５）。制御信号が２Ｄ画像を示している場合は、入力した画像信号はＤＳＰ５１２によって３Ｄ画像に変換される（ステップＳ７５４）。変換された３Ｄ画像は液晶ディスプレイ５１１に３Ｄ画像として表示される（ステップＳ７５５）。この後、ユーザーが操作パネル５０６で終了操作を行った場合は（ステップＳ７５６）、動作を終了し（ステップＳ７５７）、終了操作が行われなかった場合は、ステップＳ７５２に戻って同様の処理を繰り返す。
【００４４】
このように、テレビ１０４は、カメラ１０３もしくはストレージャ１０１が出力する制御信号によって、入力している画像信号が２Ｄ画像であるか３Ｄ画像であるかを判別することができる。特に、テレビ１０４が３Ｄ表示専用のテレビである場合は、テレビ１０４側で入力した２Ｄ画像を３Ｄ画像に変換して表示するので、２Ｄ画像が無理に表示されて見づらくなることがなくなる。尚、第１の実施形態の図６で説明したように、アナログの画像信号および制御信号は、デジタルの画像データおよび制御データであっても構わない。
【００４５】
（第４の実施形態）
次に、本発明の第４の実施形態に係る画像記憶装置（ストレージャ）は、第１の実施形態の図４に示すストレージャ１０１と同じ構成で、第２の実施形態で説明した応答信号もしくは応答データを利用したものである。本実施形態のストレージャ１０１は、カメラ１０２もしくはカメラ１０３から画像を取り込む際に、カメラ１０２もしくはカメラ１０３が出力する制御データによって取り込む画像が２Ｄ画像であるか３Ｄ画像であるかを判断し、取り込んだ画像データに２Ｄ画像であるか３Ｄ画像であるかを示すフラグを付けてＨＤＤ４０５に記憶する。
【００４６】
次に、ストレージャ１０１のＣＰＵ４０２の処理について、図１３のフローチャートを用いて説明する。ステップＳ７６１でストレージャ１０１の処理が開始され、カメラ１０３からＵＳＢケーブル１０８およびＵＳＢＩＦ１０７を介して、例えば、図７（ｄ）に示すようなデジタルの画像データと制御データとを入力する（ステップＳ７６２）。入力した制御データが２Ｄ画像または３Ｄ画像のいずれを示しているかを判別する（ステップＳ７６３）。制御データが２Ｄ画像を示している場合は、入力した画像データに２Ｄであることを示すフラグなどの情報を付加して、ＨＤＤ４０５内のデータベース７７１に記憶する（ステップＳ７６４）。逆に、制御データが３Ｄ画像を示している場合は、入力した画像データに３Ｄであることを示すフラグなどの情報を付加して、ＨＤＤ４０５内のデータベース７７１に記憶する（ステップＳ７６５）。この後、ユーザーが操作パネル４０８で記憶動作の終了操作を行った場合は（ステップＳ７６６）、動作を終了し（ステップＳ７６７）、終了操作が行われなかった場合は、ステップＳ７６２に戻って同様の処理を繰り返す。
【００４７】
ここで、データベース７７１には、例えば、点線７７２で示すように、画像のファイル名とサイズと種類とが記憶され、制御信号が２Ｄ画像を示している場合は、ファイル名の拡張子を「２Ｄ」としたり、種類の情報として「２Ｄ画像」として記憶する。同様に、制御信号が３Ｄ画像を示している場合は、ファイル名の拡張子を「３Ｄ」としたり、種類の情報として「３Ｄ画像」として記憶する。尚、点線７７２で囲んだデータベース７７１の記憶サンプルは、一例であって、これ以外の方法で、２Ｄ画像と３Ｄ画像とを区別するフラグなどの情報を記憶しても構わない。
【００４８】
このように、ストレージャ１０１は、カメラ１０３がＵＳＢＩＦ３１７から出力する画像データと共に、出力する画像データが２Ｄ画像であるか３Ｄ画像であるかを示す制御データを出力するので、出力先のストレージャ１０１は、入力する制御データによって画像データが２Ｄ画像であるか３Ｄ画像であるかを判別することができる。特に、ストレージャ１０１は、入力する画像データに２Ｄ画像であるか３Ｄ画像であるかを判別するフラグなどの情報を付加してデータベース７７１に記憶するので、後でデータベース７７１から画像を読み出す場合に、読み出す画像が２Ｄ画像であるか３Ｄ画像であるかを容易に判別することができる。
【００４９】
尚、デジタルの画像データおよび制御データは、アナログの画像信号および制御信号であっても構わない。但し、この場合は、図４のストレージャ１０１のブロック図に、図５のテレビ１０４のブロック図に設けたような入力端子５０３および画像・制御信号入力部５０４と同様のブロックを設ける必要がある。
（第５の実施形態）
次に、本発明の第５の実施形態に係るカメラ１０３またはストレージャ１０１について説明する。本実施形態は、第２の実施形態で説明した応答信号を利用したものである。例えば、第２の実施形態では、カメラ１０３またはストレージャ１０１がテレビ１０４側に出力した制御信号に対して応答信号が返って来なかった場合は、３Ｄ画像を２Ｄ画像に変換して出力するようにしたが、本実施形態では、画像以外の表示情報、例えば、図１４（ａ）に示すようなフォルダアイコンや、同図（ｂ）に示すような文字などに関しても、表示する画像に合わせて、２Ｄイメージや３Ｄイメージで表示するようにする。
【００５０】
例えば、カメラ１０３またはストレージャ１０１がテレビ１０４側に出力した制御信号に対して応答信号が返って来なかった場合は、図１４（ａ）に示すようなフォルダアイコンを表示する場合は、画面８０１に描いたような２Ｄのフォルダアイコン８０３を表示する。逆に、応答信号が返って来た場合は、画面８０２に描いたような３Ｄのフォルダアイコン８０４を表示する。或いは、応答信号が返って来なかった場合は、図１４（ｂ）に示すような文字を表示する場合は、画面８０５に描いたような２Ｄの文字８０７を表示する。逆に、応答信号が返って来た場合は、画面８０６に描いたような３Ｄの文字８０８を表示する。
【００５１】
このように、本実施形態に係るカメラ１０３またはストレージャ１０１は、テレビ側に出力した制御信号に対する応答信号があるか否かによって、テレビ側が３Ｄ表示可能な場合は、画像以外の表示情報も３Ｄデザインにして出力するので、３Ｄ画像と同様に臨場感のある表示情報を見ることができる。
尚、本実施形態においても、画像データおよび制御データは、アナログの画像信号および制御信号であっても構わない。
【００５２】
（第６の実施形態）
次に、本発明の第６の実施形態に係るカメラ１０３について説明する。本実施形態は、第２の実施形態で説明した応答信号を利用したものである。カメラ１０３がテレビ１０４側に出力した制御信号に対して応答信号が返って来なかった場合は、３Ｄ画像を２Ｄ画像に変換して出力し、応答信号が返って来た場合は、２Ｄ画像を３Ｄ画像に変換して出力することは、第２の実施形態と同様であるが、これに加えて本実施形態では、画像を出力するテレビ側が３Ｄ画像に対応している場合は、図３のカメラ１０３の液晶モニタ３１５に表示する画像や表示情報も３Ｄに対応して表示し、テレビ側が３Ｄ画像に対応していない場合は、図３のカメラ１０３の液晶モニタ３１５に表示する画像や表示情報も２Ｄで表示する。
【００５３】
つまり、テレビ１０４など画像の出力先の装置が３Ｄ表示に対応しているか否かに応じて、カメラ１０３側の液晶モニタ３１５の表示を合わせるようにする。この結果、テレビ１０４が３Ｄ表示に対応していないにも拘わらず、カメラ１０３の液晶モニタ３１５に表示するためだけに、２Ｄ画像を３Ｄ画像に変換したり、３Ｄ画像を２Ｄ画像に変換したりする必要がなくなり、カメラ１０３側の処理を低減できる。
【００５４】
尚、本実施形態においても、アナログの画像信号および制御信号は、デジタルの画像データおよび制御データであっても構わない。
以上、本発明について詳細に説明してきたが、上記の実施形態およびその変形例は発明の一例に過ぎず、本発明はこれに限定されるものではない。本発明を逸脱しない範囲で変形可能であることは明らかである。
【図面の簡単な説明】
【００５５】
【図１】各実施形態に係るカメラとストレージャとテレビとの接続形態を示す説明図である。
【図２】３Ｄ画像を説明するための説明図である。
【図３】第１の実施形態に係るカメラ１０３の構成を示すブロック図である。
【図４】第１の実施形態に係るストレージャ１０１の構成を示すブロック図である。
【図５】第１の実施形態に係るテレビ１０４の構成を示すブロック図である。
【図６】カメラ１０３もしくはストレージャ１０１とテレビ１０４との信号の流れを示す説明図である。
【図７】画像信号と制御信号の構成例を示す説明図である。
【図８】カメラ１０３もしくはストレージャ１０１の処理を示すフローチャートである。
【図９】カメラ１０３もしくはストレージャ１０１の処理を示すフローチャートである。
【図１０】第２の実施形態におけるカメラ１０３もしくはストレージャ１０１とテレビ１０４との信号の流れを示す説明図である。
【図１１】第２の実施形態に係るカメラ１０３もしくはストレージャ１０１の動作を示すフローチャートである。
【図１２】第３の実施形態に係るテレビ１０４の動作を示すフローチャートである。
【図１３】第４の実施形態に係るストレージャ１０１の動作を示すフローチャートである。
【図１４】第５の実施形態におけるテレビ１０４の画面表示の様子を示す説明図である。
【符号の説明】
【００５６】
１０１・・・画像再生装置              １０２，１０３・・・カメラ
１０４・・・テレビ                    １１１・・・３Ｄメガネ
１０７，３１７，５０２・・・ＵＳＢＩＦ
３０１，４０２，５０１・・・ＣＰＵ
３１３，４０９，５１２・・・ＤＳＰ    ３１５・・・液晶モニタ
３１６，４０８，５０６・・・操作パネル
３１８，４１０・・・画像・制御信号出力部
４０５・・・ＨＤＤ                    ５０４・・・画像・制御信号入力部
５０９・・・テレビ受信部
【図１】
2008042645.tif 000003
【図２】
2008042645.tif 000004
【図３】
2008042645.tif 000005
【図４】
2008042645.tif 000006
【図５】
2008042645.tif 000007
【図６】
2008042645.tif 000008
【図７】
2008042645.tif 000009
【図８】
2008042645.tif 000010
【図９】
2008042645.tif 000011
【図１０】
2008042645.tif 000012
【図１１】
2008042645.tif 000013
【図１２】
2008042645.tif 000014
【図１３】
2008042645.tif 000015
【図１４】
2008042645.tif 000016